(57)【要約】【課題】  この発明は、生ごみ投入の際に、処理槽内の臭気が投入口から漏れることを防止して、悪臭を出すことを抑制し、ユーザへの不快感を軽減することができる生ごみ処理機を提供する。【解決手段】  生ごみ処理機１は、処理機本体１ａと、処理機本体１ａに開閉可能に設けられており生ごみを受け入れ可能な投入口２と、処理機本体１ａ内に配置されており投入口３２から投入される生ごみを処理可能な処理槽３とを備えている。投入口２は、処理機本体１ａに対して出し入れ可能な引き出し構造に構成されている。投入口２を引き出した状態では、生ごみ投入板２ｂは、処理機本体１ａの開口端縁１ｂによって持ち上げられた姿勢を取り、処理槽３との間を遮断する。投入口２の開き状態では、処理槽３内に臭気が投入口２を通して外部に漏れないので、ユーザ野不快感を軽減することができる。【選択図】      図１
2006255642.tif 000002
【特許請求の範囲】
【請求項１】
処理機本体、前記処理機本体に開閉可能に設けられており生ごみを受け入れ可能な投入口、及び前記処理機本体内に配置されており前記投入口から投入される前記生ごみを処理可能な処理槽を備え、前記投入口は、前記処理機本体に対して出し入れ可能な引き出し構造に構成されており、引き出し状態では前記処理槽との間を遮断することを特徴とする生ごみ処理機。
【請求項２】
前記投入口は、前記引き出し構造の底部に移動可能に取り付けられ且つ生ごみの投入の際に前記生ごみが載置される生ごみ投入板を備えており、前記生ごみ投入板は、前記投入口を開いた状態では前記底部を閉じて前記処理槽との間を遮断し、前記投入口を閉じた状態では前記底部を開いて前記生ごみを前記処理槽に投入することを特徴とする請求項１に記載の生ごみ処理機。
【請求項３】
前記生ごみ投入板は、前記引き出し構造の底部に回動可能に取り付けられており、前記投入口の引き出し動作に応じて、前記処理機本体との協働によって前記底部を開閉することを特徴とする請求項２に記載の生ごみ処理機。
【請求項４】
前記投入口は、手動で開閉されることを特徴とする請求項１〜３のいずれか１項に記載の生ごみ処理機。
【請求項５】
前記投入口は、自動開閉可能であることを特徴とする請求項１〜３のいずれか１項に記載の生ごみ処理機。
【請求項６】
前記処理槽内に設けられて前記生ごみを攪拌可能な撹拌手段、前記撹拌手段を回転させる回転駆動手段、及び前記処理槽内の気体を外部に排気可能な排気手段を更に備えることを特徴とする請求項１〜５のいずれか１項に記載の生ごみ処理機。
【発明の詳細な説明】
【技術分野】
【０００１】
本発明は、処理槽内に投入された生ごみを、例えば微生物により分解処理する生ごみ処理機に関する。
【背景技術】
【０００２】
従来、バイオ式家庭用生ごみ処理機は、有機物を分解する微生物を含んだおが屑や木チップなどの多孔質からなる基材を収容した処理槽を備えており、この基材及び投入された生ごみを処理槽内に配置された撹拌手段により撹拌し、生ごみ処理に伴って生じる水分を処理槽上部に取り付けられた排気ファンにより放出させる構成となっている（特許文献１参照）。
【特許文献１】特開２００２−２６３６２０号公報（段落［００１４］〜［００１５］、図１、図２）
【０００３】
しかしながら、従来の生ごみ処理機では、生ごみ投入口は上下開閉式になっているため、生ごみ投入の際に、開かれた投入口から処理槽内の臭気が漏れてしまうという問題がある。
【発明の開示】
【発明が解決しようとする課題】
【０００４】
そこで、生ごみ投入の際に、処理槽内の臭気の外部への漏れを投入口とその動作を利用して遮断可能にする点で解決すべき課題がある。
【０００５】
この発明の目的は、生ごみ投入の際に、処理槽内の臭気が投入口から漏れることを防止して、悪臭を出すことを抑制し、ユーザへの不快感を軽減することができる生ごみ処理機を提供することである。
【課題を解決するための手段】
【０００６】
上記目的を達成するために、この発明による生ごみ処理機は、処理機本体、当該処理機本体に開閉可能に設けられており生ごみを受け入れ可能な投入口、及び処理機本体内に配置されており投入口から投入される生ごみを処理可能な処理槽を備え、投入口は、処理機本体に対して出し入れ可能な引き出し構造に構成されており、引き出し状態では処理槽との間を遮断することを特徴としている。
【０００７】
この発明による生ごみ処理機は、投入口が処理機本体に対して出し入れ可能な引き出し構造に構成されているので、投入口を処理機本体に対して引き出した状態で生ごみを投入口に入れる。この引き出し状態では、投入口は処理機本体内に配置されている処理槽との間を自らが遮断することができるので、処理槽内の臭気が投入口に流れだすことがない。投入口を処理機本体に閉じたときには、投入口に受け入れられている生ごみは処理槽に投入され、処理槽内でごみ処理される。
【０００８】
この生ごみ処理機において、投入口は、引き出し構造の底部に移動可能に取り付けられ且つ生ごみの投入の際に生ごみが載置される生ごみ投入板を備えており、生ごみ投入板は、投入口を開いた状態では底部を閉じて処理槽との間を遮断し、投入口を閉じた状態では底部を開いて生ごみを処理槽に投入することができる。投入口が上記のような生ごみ投入板を備える構成とすることによって、投入口を開いた状態では、生ごみ投入板が引き出し構造の底部を閉じて処理槽との間を遮断し、投入口を閉じる状態では、生ごみ投入板は移動して引き出し構造の底部を開き、生ごみが処理槽に投入される。
【０００９】
投入口が生ごみ投入板を備える生ごみ処理機において、生ごみ投入板は、引き出し構造の底部に回動可能に取り付けられており、投入口の引き出し動作に応じて、処理機本体との協働によって底部を開閉することができる。生ごみ投入板を引き出し構造の底部に回動可能に取り付けることで、生ごみ投入板は、自重によって下方に回動する力を受ける。投入口の引き出し動作に応じて、引き出されるときには、生ごみ投入板が処理機本体との協働によって、例えば下方から支えられることで、自重に打ち勝って上方に回動し、引き出し構造の底部を閉じることができる。このとき、閉じた底部によって、処理槽との間が遮断される。また、投入口を引き込むときには、生ごみ投入板が処理機本体との協働によって、例えば支えが外れることで、自重によって下方に垂れ下がり、引き出し構造の底部を開くことができる。このとき、開いた底部によって生ごみが投下され、処理槽との間が開いて生ごみが処理槽内に投入される。
【００１０】
上記の生ごみ処理機において、投入口は手動で開閉することができる。投入口を手動で開閉するため、具体的には、引き出し構造の前面に取手を設けることができる。
【００１１】
上記の生ごみ処理機において、投入口は自動開閉することができる。投入口の自動開閉のため、例えば、駆動モータによって引き出しを処理機本体に対して出し入れさせることができる。
【００１２】
上記の生ごみ処理機は、処理槽内に設けられて生ごみを攪拌可能な撹拌手段、当該撹拌手段を回転させる回転駆動手段、及び処理槽内の気体を外部に排気可能な排気手段を更に備えることができる。処理槽内に設けられている撹拌手段を回転駆動手段によって回転させて、生ごみを攪拌することで、生ごみの処理が促進される。また、排気手段によって、処理槽内の気体、例えば、水蒸気や二酸化炭素を外部に排気することで、生ごみの処理の維持を図ることができる。
【発明の効果】
【００１３】
この発明による生ごみ処理機は、以上のように構成されているので、生ごみを投入する際に、引き出し構造に構成されている投入口を引き出すことで、処理槽と処理槽に対して移動した投入口との連通が遮断される。このように、投入口自身の構造とその作動とを利用して、生ごみ投入の際に処理槽と投入口との間が遮断されるので、簡単な構造でありながら、生ごみ投入時における処理槽内の臭気が外部に漏れることが軽減され、ユーザの不快感をなくすことができる。
【発明を実施するための最良の形態】
【００１４】
以下、図面の記載に基づいて、この発明による生ごみ処理機の実施例について説明する。図１はこの発明による生ごみ処理機を投入口が引き出された状態で示す断面概略図、図２は図１に示す生ごみ処理機を投入口が閉じられた状態で示す断面概略図である。
【００１５】
図１及び図２を参照すると、生ごみ処理機１は、生ごみを投入するための投入口２と、処理機本体１ａ内に配置されており投入された生ごみを基材とともに処理をする処理槽３と、処理槽３内の期待を外部に排気するための排気手段６とで構成されている。処理機本体１ａ内において、処理槽３の下側には電動機４が配置されており、処理槽３の内部には撹拌手段の攪拌羽根を設けた攪拌軸５が配置されている。撹拌軸５は処理槽３の底部を適宜のシールを介して貫通しており、電動機４の出力軸が撹拌軸５に接続されているので、電動機４は撹拌軸５を回転させと、攪拌羽根が回り、生ゴミが攪拌する。
【００１６】
投入口２は、全体的に引出し構造として構成されており、天井部の少なくとも一部は生ごみ投入用に開口部２ｄとなっており、底部については一部が固定の底板２ｅであり、残る部分が止め具２ａで回動可能に接続される生ごみ投入板２ｂとなっている。生ごみ投入板２ｂが止め具２ａ回りに下方へ回動するとき、底部には処理槽３への投下開口２ｇが形成される。投入口２の前面板２ｆには、ユーザが手で操作するための取手２ｃが備わっているので、投入口２を手動にて開閉することができる。なお、投入口２の側板は、図示していないが、投入口２に備わるものとすることができる。
【００１７】
引出し式の投入口２を自動的に開閉するため、投入口２を駆動する駆動手段として駆動モータ７を備えることができる。駆動モータ７は、ユーザが処理機本体１ａの上部に設けられている開閉ボタン８を押すなどの操作によって通電制御される。また、開閉ボタン８を押下げを駆動開始点として、図示しない制御部が種々の駆動態様で開閉制御を行うこともできる。
【００１８】
図１に示される生ごみ処理機においては、引出し式の投入口２は開いている状態にある。この状態では、投入口２に接続されている生ごみ投入板２ｂは、止め具２ａと処理機本体１ａによって、水平に持ち上げられた姿勢を占めており、処理槽３への投下開口２ｇを閉じている。即ち、生ごみ投入板２ｂは、前縁が止め具２ａで、また後側の下面が生ごみ処理機本体１ａの投入口２のための開口端縁１ｂで持ち上げられた状態で支えられる。したがって、処理槽３との間の空間は生ごみ投入板２ｂで仕切られて分断されている。ユーザは、投入口２が開いている状態で、生ごみ投入板２ｂ上に生ごみを置くことができる。投入口２の両サイドには図示しない側板ｃが設けられているので、投入される生ごみが側方へ溢れ出ることはない。
【００１９】
一方、図２に示される生ごみ処理機においては、引出し式の投入口２は閉じられている状態にある。図２に示すように、投入口２が閉まっている場合、生ごみ投入板２ｂは止め具２ａのみで接続されており、処理機本体１ａではもはや支持されないので、止め具２ａの回りに回動して垂れ下がる。したがって、引出し式投入口２の生ごみ投入板２ｂの部分に投下開口２ｇが形成される。投下開口２ｇの下部には処理槽３が配置された状態にあるので、生ごみ投入板２ｂ上の生ごみは、処理槽２内に投入される。
【００２０】
以上のように、生ごみ投入の際に、投入口２を引き出したときには、投入口２と処理槽３が生ごみ投入板２ｂによって仕切られて遮断される状態となるので、処理槽３内の臭気が生ごみ投入板２ｂによって遮られ、開状態の投入口２を通じて外に漏れ出ることが効果的に防止され、ユーザの不快感を軽減することができる。
【図面の簡単な説明】
【００２１】
【図１】本発明による生ごみ処理機の投入口開状態を示す断面概略図である。
【図２】本発明による生ごみ処理機の投入口閉状態を示す断面概略図である。
【符号の説明】
【００２２】
１  生ごみ処理機本体            １ａ  処理機本体
１ｂ  開口端縁                  ２    投入口
２ａ  止め具                    ２ｂ  生ごみ投入板
２ｃ  取手                      ２ｄ  開口部
２ｅ  底板                      ２ｆ  前面板
２ｇ  投下開口                  ３  処理槽
４  電動機                      ５  撹拌軸
６  排気手段                    ７  駆動モータ
８  開閉ボタン
【図１】
2006255642.tif 000003
【図２】
2006255642.tif 000004